(57)【要約】【課題】  ２つのＩＣチップが携帯端末装置に埋め込まれている場合に，所定の条件に応じて１つのＩＣチップを使用してバッテリの消費を低減する。【解決手段】  第１のＩＣチップおよび第２のＩＣチップを備え，第１のＩＣチップまたは第２のＩＣチップのいずれかにより外部装置と無線通信を行う携帯端末装置であって：電源切り替え条件を記憶する電源切り替え条件記憶部２０８と；第１のＩＣチップまたは第２のＩＣチップのいずれかに電源を供給する電源供給部２０４と；電源切り替え条件に応じて，電源供給部の電源供給切り替えを制御する電源供給制御部２０２と；を備える。【選択図】    図２
2007110286.tif 000002
【特許請求の範囲】
【請求項１】
第１のＩＣチップおよび第２のＩＣチップを備え，前記第１のＩＣチップまたは前記第２のＩＣチップのいずれかにより外部装置と無線通信を行う携帯端末装置であって：
電源切り替え条件を記憶する電源切り替え条件記憶部と；
前記第１のＩＣチップまたは前記第２のＩＣチップのいずれかに電源を供給する電源供給部と；
前記電源切り替え条件に応じて，前記電源供給部の電源供給切り替えを制御する電源供給制御部と；
を備えることを特徴とする，携帯端末装置。
【請求項２】
前記電源切り替え条件を設定する電源切り替え条件設定部を備え，
前記電源切り替え条件設定部により設定された前記電源切り替え条件を前記電源切り替え条件記憶部に記憶することを特徴とする，請求項１に記載の携帯端末装置。
【請求項３】
前記電源切り替え条件設定部は，
前記電源供給部からの電源供給量に応じて前記電源切り替え条件を設定することを特徴とする，請求項２に記載の携帯端末装置。
【請求項４】
前記第１のＩＣチップおよび前記第２のＩＣチップの位置情報を検知するＩＣチップ位置検知部を備え，
前記電源切り替え条件は，前記位置情報に応じた条件であることを特徴とする，請求項１に記載の携帯端末装置。
【請求項５】
前記ＩＣチップ位置検知部は，
前記第１のＩＣチップと前記第２のＩＣチップとの相対的な位置関係を検知し，
前記電源切り替え制御部は，
前記ＩＣチップ位置検知部により検知された検知結果に応じて，前記電源供給部の電源切り替えを制御することを特徴とする，請求項４に記載の携帯端末装置。
【請求項６】
前記ＩＣチップ位置検知部は，
前記第１のＩＣチップおよび前記第２のＩＣチップと，前記外部装置との相対的な位置関係を検知し，
前記電源切り替え制御部は，
前記ＩＣチップ位置検知部により検知された検知結果に応じて，前記電源供給部の電源切り替えを制御することを特徴とする，請求項４に記載の携帯端末装置。
【請求項７】
前記ＩＣチップ位置検知部は，
前記第１のＩＣチップおよび前記第２のＩＣチップの位置情報を検知する磁気センサを用いて前記第１のＩＣチップおよび前記第２のＩＣチップの位置情報を検知することを特徴とする，請求項４に記載の携帯端末装置。
【請求項８】
前記ＩＣチップ位置検知部は，
前記第１のＩＣチップおよび前記第２のＩＣチップの重力のかかる方向を検知する重力センサを用いて構成されることを特徴とする，請求項５または６のいずれかに記載の携帯端末装置。
【請求項９】
前記ＩＣチップ位置検知部は，
前記第１のＩＣチップおよび前記第２のＩＣチップの移動方向を検知する加速度センサを用いて構成されることを特徴とする，請求項５または６のいずれかに記載の携帯端末装置。
【請求項１０】
第１のＩＣチップおよび第２のＩＣチップを備え，前記第１のＩＣチップまたは前記第２のＩＣチップのいずれかにより外部装置と無線通信を行う携帯端末装置を用いて実現される電源供給制御方法であって：
電源切り替え条件を記憶するステップと；
前記電源切り替え条件に応じて，電源供給切り替えを制御するステップと；
前記第１のＩＣチップまたは前記第２のＩＣチップのいずれかに電源を供給するステップと；
を含むことを特徴とする，電源供給制御方法。
【請求項１１】
前記第１のＩＣチップおよび前記第２のＩＣチップの位置情報を検知するステップをさらに含むことを特徴とする，請求項１０に記載の電源供給制御方法。
【請求項１２】
第１のＩＣチップおよび第２のＩＣチップを備え，前記第１のＩＣチップまたは前記第２のＩＣチップのいずれかにより外部装置と無線通信を行う携帯端末装置をして，
電源切り替え条件を記憶する処理と；
前記電源切り替え条件に応じて，電源供給切り替えを制御する処理と；
前記第１のＩＣチップまたは前記第２のＩＣチップのいずれかに電源を供給する処理と；
を実行せしめることを特徴とする，コンピュータプログラム。
【請求項１３】
さらに，前記第１のＩＣチップおよび前記第２のＩＣチップの位置情報を検知して，
前記位置情報に応じて電源供給切り替えを制御する処理を実行せしめることを特徴とする，請求項１２に記載のコンピュータプログラム。
【発明の詳細な説明】
【技術分野】
【０００１】
本発明は，携帯端末装置，電源供給制御方法およびコンピュータプログラムに関し，特に，２つの無線通信可能なＩＣチップを備え，所定の条件に応じて１つのＩＣチップのみ使用して外部装置と非接触式に通信を行う携帯端末装置に関する。
【背景技術】
【０００２】
近年，携帯電話などの携帯端末装置に無線通信可能なＩＣチップが備えられ，リーダ／ライタなどの外部装置と携帯端末装置のＩＣチップとの間で非接触式に通信を行って，データを送受信することが可能となっている。通常，１つのＩＣチップが携帯端末装置の一面に配置されている。このため，非接触通信を行う場合に，ＩＣチップが配置された携帯端末装置の一面以外の面を外部装置にかざしても，外部装置と通信できない場合があった。したがって，ユーザはＩＣチップが配置された特定の一面を外部装置にかざさなければならず，利便性が悪いという問題があった。
【０００３】
そこで，複数のアンテナやＩＣチップを携帯端末装置に配置して，特定の一面以外を外部装置にかざしても，非接触通信を行うことができる技術が開発されている（例えば特許文献１）。例えば，携帯端末装置の表側および裏側の両方にＩＣチップを埋め込むことにより，表側または裏側のどちら側でも非接触式に通信することができる。これにより，ユーザが携帯端末装置の表側か裏側のどちらにＩＣチップが埋め込まれているかを意識することなく，外部装置と非接触通信を行うことが可能となる。
【０００４】
【特許文献１】特開２００５−１５９６０７号公報
【発明の開示】
【発明が解決しようとする課題】
【０００５】
しかし，携帯端末装置の表側および裏側の両方にＩＣチップが埋め込まれている場合には，常に２つのＩＣチップに電源を供給して，リーダ／ライタから送信される搬送波を検出できる状態にしておく必要がある。このように，常に２つのＩＣチップに電源を供給すると，１つのＩＣチップが埋め込まれている場合よりも多くのバッテリを消費して，携帯端末装置の動作時間が短くなってしまうという問題があった。
【０００６】
そこで，本発明は，このような問題に鑑みてなされたもので，その目的とするところは，２つのＩＣチップが携帯端末装置に埋め込まれている場合に，所定の条件に応じて１つのＩＣチップを使用してバッテリの消費を低減することが可能な新規かつ改良された，携帯端末装置，電源供給方法およびコンピュータプログラムを提供することにある。
【課題を解決するための手段】
【０００７】
上記課題を解決するために，本発明のある観点によれば，第１のＩＣチップおよび第２のＩＣチップを備え，第１のＩＣチップまたは第２のＩＣチップのいずれかにより外部装置と無線通信を行う携帯端末装置であって：電源切り替え条件を記憶する電源切り替え条件記憶部と；第１のＩＣチップまたは第２のＩＣチップのいずれかに電源を供給する電源供給部と；電源切り替え条件に応じて，電源供給部の電源供給切り替えを制御する電源供給制御部と；を備えることを特徴とする，携帯端末装置が提供される。
【０００８】
上記電源切り替え条件とは，電源供給部の電源切り替えを制御するために設定される条件である。上記携帯端末装置によれば，電源切り替え条件記憶部に記憶された電源切り替え条件に応じて，電源供給制御部は，第１のＩＣチップまたは第２のＩＣチップのいずれかに電源を供給するように，電源供給部からの電源供給を制御する。これにより，携帯端末装置に２つのＩＣチップが備えられている場合に，電源供給切り替え条件に応じて１つのＩＣチップを使用することにより，バッテリの消費を低減することができる。ユーザは，電源が供給されるＩＣチップが埋め込まれている特定の面を外部装置にかざさなければならないが，ユーザにより頻繁に外部装置にかざされる一面に埋め込まれたＩＣチップに電源を供給することで，特定の面をかざすことによる利便性の低下を回避することが可能となる。
【０００９】
また，上記携帯端末装置は，電源切り替え条件を設定する電源切り替え条件設定部を備え，電源切り替え条件設定部により設定された電源切り替え条件を電源切り替え条件記憶部に記憶してもよい。これにより，電源供給切り替え条件記憶部に記憶された電源切り替え条件の設定変更を行うことができる。例えば，ユーザの入力に応じて，電源供給切り替え条件記憶部に記憶された電源供給切り替え条件の書き換えを行うようにしてもよい。また，ユーザの入力があった場合にのみ電源供給切り替え条件を変更するようにしてもよい。
【００１０】
上記電源切り替え条件設定部は，電源供給部からの電源供給量に応じて電源切り替え条件を設定してもよい。例えば，電源供給部からの電源供給量が所定の残量以下となった場合に，第１のＩＣチップまたは第２のＩＣチップのいずれかのみに電源を供給するようにしてもよい。これにより，バッテリの消費を低減させて，携帯端末装置の動作時間を延ばすことが可能となる。
【００１１】
上記携帯端末装置は，第１のＩＣチップおよび第２のＩＣチップの位置情報を検知するＩＣチップ位置検知部を備え，電源切り替え条件は，位置情報に応じた条件であってもよい。また，上記ＩＣチップ位置検知部は，第１のＩＣチップと第２のＩＣチップとの相対的な位置関係を検知し，電源切り替え制御部は，ＩＣチップ位置検知部により検知された検知結果に応じて，電源供給部の電源切り替えを制御してもよい。また，上記ＩＣチップ位置検知部は，第１のＩＣチップおよび第２のＩＣチップと，外部装置との相対的な位置関係を検知し，電源切り替え制御部は，ＩＣチップ位置検知部により検知された検知結果に応じて，電源供給部の電源切り替えを制御してもよい。
【００１２】
上記位置情報とは，携帯端末装置の絶対位置であってもよいし，第１のＩＣチップと第２のＩＣチップとの相対的な位置関係であってもよい。また，第１のＩＣチップおよび第２のＩＣチップと，外部装置との相対的な位置関係であってもよい。これにより，上記位置情報に応じて１つのＩＣチップを使用してバッテリの消費を低減することができる。また，外部装置により近いＩＣチップに電源を供給することができるため，１つのＩＣチップしか備えられていない携帯端末装置に比べて外部装置とより確実に通信を行うことが可能となる。
【００１３】
また，上記第１のＩＣチップおよび第２のＩＣチップの位置情報を検知する磁気センサを用いて第１のＩＣチップおよび第２のＩＣチップの位置情報を検知してもよい。また，ＩＣチップ位置検知部は，第１のＩＣチップおよび第２のＩＣチップの重力のかかる方向を検知する重力センサを用いて構成してもよい。上記ＩＣチップ位置検知部は，第１のＩＣチップおよび第２のＩＣチップの移動方向を検知する加速度センサを用いて構成してもよい。磁気センサ，重力センサ，加速度センサが備えられた携帯端末装置の絶対位置や，重力のかかる方向や，移動の方向などの位置情報を検知することにより。上記電源切り替え制御部は，重力のかかる方向に位置するＩＣチップに電源を供給したり，移動の方向に位置するＩＣチップに電源を供給したりすることができる。これにより，外部装置に携帯端末装置をかざして非接触通信を行う場合に，外部装置にかざす側に埋め込まれたＩＣチップに電源を供給し，外部装置にかざされない側に埋め込まれたＩＣチップの電源を切断することができる。また，移動の方向に位置するＩＣチップを判別して，移動の方向に位置するＩＣチップにのみ電源を供給するようにしてもよい。これにより，２つのＩＣチップが携帯端末装置に備えられている場合に，外部装置にかざす側のＩＣチップにのみ電源を供給してバッテリの消費を低減することが可能となる。
【００１４】
上記課題を解決するために，本発明の別の観点によれば，第１のＩＣチップおよび第２のＩＣチップを備え，第１のＩＣチップまたは第２のＩＣチップのいずれかにより外部装置と無線通信を行う携帯端末装置を用いて実現される電源供給制御方法であって：電源切り替え条件を記憶するステップと；電源切り替え条件に応じて，電源供給切り替えを制御するステップと；第１のＩＣチップまたは第２のＩＣチップのいずれかに電源を供給するステップと；を含むことを特徴とする，電源供給制御方法が提供される。
【００１５】
さらに，上記電源供給制御方法には，第１のＩＣチップおよび第２のＩＣチップの位置情報を検知するステップを含んでもよい。
【００１６】
上記課題を解決するために，本発明の別の観点によれば，第１のＩＣチップおよび第２のＩＣチップを備え，第１のＩＣチップまたは第２のＩＣチップのいずれかにより外部装置と無線通信を行う携帯端末装置をして，電源切り替え条件を記憶する処理と；電源切り替え条件に応じて，電源供給切り替えを制御する処理と；第１のＩＣチップまたは第２のＩＣチップのいずれかに電源を供給する処理と；を実行せしめることを特徴とする，コンピュータプログラムが提供される。
【００１７】
さらに，第１のＩＣチップおよび第２のＩＣチップの位置情報を検知して，位置情報に応じて電源供給切り替えを制御する処理を実行させるようにしてもよい。
【００１８】
上記コンピュータプログラムは，コンピュータが備える記憶部に格納され，コンピュータが備えるＣＰＵに読み込まれて実行されることにより，そのコンピュータを上記の情報処理装置として機能させる。また，コンピュータプログラムが記録された，コンピュータで読み取り可能な記録媒体も提供される。記録媒体は，例えば，磁気ディスク，光ディスクなどである。
【発明の効果】
【００１９】
以上説明したように本発明によれば，２つのＩＣチップが携帯端末装置に埋め込まれている場合に，所定の条件に応じて１つのＩＣチップを使用してバッテリの消費を低減することができる。
【発明を実施するための最良の形態】
【００２０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２１】
（第１実施形態）
まず，図１に基づいて，第１実施形態にかかる携帯端末装置１００の構成について説明する。図１は，第１の実施形態にかかる携帯端末装置１００の構成を示すブロック図である。携帯端末装置１００は，リーダ／ライタなどの外部装置（図示せず）との間で非接触式に無線通信可能な２つのＩＣチップを備えた装置である。外部装置と，携帯端末装置１００に備えられたＩＣチップとは，主に，１０ｃｍ程度の狭い範囲内のみにおいて非接触式に通信を行うことができる，１３．５６ＭＨｚのＲＦ搬送波周波数と１００〜４００Ｋｂｐｓの通信速度を有する近距離無線規格（ＮＦＣ：Ｎｅａｒ  Ｆｉｅｌｄ  Ｃｏｍｍｕｎｉｃａｔｉｏｎ）に沿って行われる。携帯端末装置１００を使用するユーザにより，ＩＣチップが埋め込まれた面が外部装置にかざされて，外部装置とＩＣチップとが非接触式に通信を行うことによりデータが送受信される。
【００２２】
図１に示したように，携帯端末装置１００は，第１のＩＣチップ用アンテナ１０２と，第１のＩＣチップ１０８と，第２のＩＣチップ用アンテナ１１６と，第２のＩＣチップ１１２と，携帯端末装置用ＣＰＵ１２０と，不揮発性メモリ１２２と，スイッチ１１０と，バッテリ１１８と，入力キー面１０４と，液晶表示面１１４などを備える。
【００２３】
第１のＩＣチップ用アンテナ１０２は，少なくとも上記ＮＦＣで無線通信可能な通信帯域を有し，外部装置の搬送波を検出して第１のＩＣチップ１０８に送出する機能を有する。第１のＩＣチップ１０８は，第１のＩＣチップ用アンテナ１０２を介して外部装置と非接触式に通信を行う機能を有する。第１のＩＣチップ１０８には，携帯端末装置１００のＣＰＵ１２０の制御により，バッテリ１１８から電源が供給される。
第１のＩＣチップ１０８は，例えば，復調機，変調機，受信機，送信機，ＣＰＵ，ＲＯＭ，ＲＡＭ，ＥＥＰＲＯＭ，暗号エンジン，ＲＮＧ，ＣＲＣなどを含んで構成される。復調機は，第１のＩＣチップ用アンテナ１０２を介して外部装置から受信した信号をＩＣチップ内で処理可能な電気信号に復調し，受信機に提供する。変調機は，ＩＣチップからアンテナを介して外部装置に送信する電気信号を非接触式で送信できる信号に変調する。
ＣＰＵは中央演算処理装置であって，バッテリ１１８から供給される電源により作動し，ＩＣチップの全体制御を行う。ＲＯＭは，不揮発性のメモリであって，各アプリケーションやプラットフォームとなるオペレーションシステム（以降，ＯＳと称する。）などが格納される。
【００２４】
ＲＡＭは揮発性のメモリであって，ＯＳや各アプリケーションが一時的に使用するデータなどが格納される。ＥＥＰＲＯＭは，主にユーザデータの格納用等に使用されるが，アプリケーションやＯＳ等を格納してもよい。また，ＥＥＰＲＯＭの代わりにフラッシュメモリを使用することもできる。暗号エンジンは，外部装置との間で送受信されるデータの暗号化および復号化を行う。ＲＮＧは，暗号化の際の暗号鍵に使用する乱数を発生させる。ＣＲＣは，外部装置から受信したデータの巡回冗長検査，すなわちエラーチェックを行う。
【００２５】
第２のＩＣチップ用アンテナ１１６は，少なくとも上記ＮＦＣで無線通信可能な通信帯域を有し，外部装置の搬送波を検出して第２のＩＣチップ１１２に送出する機能を有する。第２のＩＣチップ１１２は，第２のＩＣチップ用アンテナ１１２を介して外部装置と非接触式に通信を行う機能を有する。第２のＩＣチップ１１２には，携帯端末装置１００のＣＰＵ１２０の制御により，バッテリ１１８から電源が供給される。第２のＩＣチップ１１２の構成は，第１のＩＣチップの構成とほぼ同様のため，説明を省略する。
【００２６】
携帯端末装置用ＣＰＵ１２０は，演算処理装置および制御装置として機能し，携帯端末装置１００内の各部の処理を制御する。後述する不揮発性メモリ１２２に記憶された電源切り替え条件に応じて，携帯端末用ＣＰＵ１２０は，第１のＩＣチップ１０８または第２のＩＣチップ１１２のいずれかに電源を供給するように，バッテリ１１８からの電源供給を制御する。ここで，電源切り替え条件とは，予め不揮発性メモリ１２２に記憶されていてもよいし，ユーザの入力により，不揮発性メモリ１２２に記憶された電源切り替え条件を更新するようにしてもよい。例えば，「第１のＩＣチップにのみ電源を供給する」という電源切り替え条件が予め記憶されていた場合には，携帯端末用ＣＰＵ１２０は，第１のＩＣチップ１０８にのみ電源を供給するようにバッテリ１１８からの電源供給を制御する。
【００２７】
また，スイッチ１１０からのユーザ入力により，電源切り替え条件を更新するようにしてもよい。例えば，スイッチ１１０を押下した回数により電源切り替え条件を変更してもよい。その場合，スイッチ１１０を１回押下した場合は，現在電源が供給されているＩＣチップとは別のＩＣチップに電源が供給され，スイッチ１１０を２回押下した場合は，２つのＩＣチップに電源を供給するとしてもよい。また，電源切り替え条件としていずれの条件も記憶されていない場合には，２つのＩＣチップに電源を供給するようにしてもよい。
【００２８】
不揮発性メモリ１２２は，例えばＥＥＰＲＯＭやフラッシュメモリなどで構成され，電源切り替え条件を記憶する機能を有する。携帯端末装置１００は，不揮発性メモリ１２２の他，ＲＯＭ（図示せず），ＲＡＭ（図示せず）を備える，ＲＯＭは携帯端末装置１００の各機能を実行するためのプログラムや各種データを記憶し，ＲＡＭは，各機能を実行するときに使用するデータやプログラムなどを一時的に記憶している。上述したＣＰＵ１２０は，ＲＡＭ，不揮発性メモリ１２２に記憶されたデータを用いてＲＯＭに記憶されたプログラムを実行することにより携帯端末装置１００の各機能を達成するようになっている。
【００２９】
バッテリ１１８は，ＣＰＵ１２０に制御されて，２つのＩＣチップのいずれかまたは両方に電源を供給する機能を有する。スイッチ１１０は，ユーザにより押下されることにより不揮発性メモリ２２０に記憶された電源切り替え条件を書き換えることが可能なユーザインタフェースである。
【００３０】
図１に示したように，携帯端末装置１００が折り畳み形状である場合には，入力キー面１０４の裏面と，液晶表示面１１４の裏面の２つの面にＩＣチップが埋め込まれる。本実施形態では折り畳み形状である携帯端末装置を例示して説明するが，かかる例に限定されず，携帯端末装置１００はストレート形状であってもよい。その場合には，入力キー面と液晶表示面とを備える面と，その裏面との両方にＩＣチップを埋め込むようにしてもよい。
【００３１】
このように，携帯端末装置１００の２つの面にＩＣチップを埋め込まれている場合には，通常，２つのＩＣチップのうち，先に外部装置からの搬送波を検出したＩＣチップにより通信が行われる。つまり，ユーザにより外部装置に最初にかざされた面に埋め込まれたＩＣチップにより通信が行われる。その場合，常に２つのＩＣチップに電源を供給して，外部装置から送信された搬送波を検出できる状態にしておく必要がある。しかし，常に２つのＩＣチップに電源を供給すると，１つのＩＣチップが埋め込まれている場合よりも多くのバッテリを消費してしまう。
【００３２】
例えば，携帯端末装置１００のバッテリ１１８の容量を仮に８５０ｍＡｈとし，携帯端末装置１００の待ち受け時間を４５０時間とする。携帯端末装置１００内部の待ち受け消費電流が，バッテリ容量の９０％であれば安定して使えるとした場合，携帯端末装置１００内部の待ち受け消費電流は，（８５０ｍＡｈ×９０％）／４５０ｈ＝１．７ｍＡとなる。また，第１のＩＣチップ１０８および第２のＩＣチップ１１２の消費電流をそれぞれ１０ｍＡとする。
【００３３】
バッテリ１１８の満充電時から２つのＩＣチップの両方を連続で動作させた場合，随時１０ｍＡ＋１０ｍＡ＝２０ｍＡの電流が消費される。したがって，２０ｍＡ＋１．７ｍＡ＝２１．７ｍＡが携帯端末装置１００に消費されることとなる。２つのＩＣチップを使用して非接触式通信を行うことを可能とした場合の携帯端末装置１００の待ち受け時間は，（８５０ｍＡｈ×９０％）／２１．７ｍＡ＝３５時間となる。
【００３４】
一方，２つのＩＣチップのうち１つのＩＣチップのみ動作させると，随時１０ｍＡ＋０ｍＡ＝１０ｍＡの電流が消費される。したがって，１０ｍＡ＋１．７ｍＡ＝１１．７ｍＡが携帯端末装置１００に消費されることとなる。１つのＩＣチップを使用して非接触式通信を行うことを可能とした場合の携帯端末装置１００の待ち受け時間は，（８５０ｍＡｈ×９０％）／１１．７ｍＡ＝６５時間となる。
【００３５】
このように，第１のＩＣチップ１０８と第２のＩＣチップ１１２との両方を通信可能とした場合と，第１のＩＣチップ１０８と第２のＩＣチップ１１２とのいずれかひとつのＩＣチップを通信可能とした場合では，３０時間もの消費電流の差が生じることがわかる。
【００３６】
本実施形態では，携帯端末装置１００に２つのＩＣチップが埋め込まれている場合に，ユーザにより頻繁に外部装置にかざされる面に埋め込まれているＩＣチップのみを使用してバッテリの消費を低減することが可能となる。次に，図２に基づいて，本実施形態にかかる携帯端末装置１００内の機能構成について説明する。
【００３７】
図２に示したように，携帯端末装置１００内には，電源供給制御部２０２と，電源供給部２０４と，電源供給切り替え条件設定部２０６と，電源供給切り替え条件記憶部２０８などが備えられている。
【００３８】
電源供給部２０４は，携帯端末装置１００に備えられた２つのＩＣチップのいずれかに電源を供給する機能を有する。電源供給部２０４には，図１に示したバッテリ１１８を例示することができる。電源供給部２０４は，後述する電源供給制御部２０２により制御されて，第１のＩＣチップ１０８にのみに電源を供給したり，第２のＩＣチップ１１２のみに電源を供給したりする。
【００３９】
電源供給制御部２０２は，電源切り替え条件に応じて，電源供給部２０４の電源供給切り替えを制御する機能を有する。電源供給制御部２０２には，図１に示した携帯端末装置のＣＰＵ１２０を例示することができる。電源切り替え条件とは，電源供給部２０４の電源切り替えを制御するために設定される条件である。電源供給制御部２０２は，電源切り替え条件により，２つのＩＣチップのいずれに電源を供給するのかを判定して電源供給部２０４の制御を行う。また，電源切り替え条件にいずれの条件も設定されていない場合には，電源供給制御部２０２は，電源供給部２０４の電源供給切り替えの制御を行わず，電源供給部２０４から２つのＩＣチップに電源が供給される。
【００４０】
電源切り替え条件記憶部２０８は，上述した電源切り替え条件を記憶する機能を有する。電源切り替え条件記憶部２０８には，図１に示した携帯端末装置１００の不揮発性メモリ１２２を例示することができる。電源供給切り替え条件として，電源供給切り替えフラグを記憶することにより第１のＩＣチップまたは第２のＩＣチップのいずれかに電源を供給するように制御してもよい。
【００４１】
例えば第１のＩＣチップのみに電源を供給する場合にはフラグ「１」，第２のＩＣチップのみに電源を供給する場合にはフラグ「２」を電源供給切り替え条件として電源切り替え条件記憶部２０８に記憶する。電源供給切り替え条件が設定されていない場合には，フラグ「０」としてもよい。
【００４２】
電源供給切り替え条件設定部２０６は，ユーザの入力に応じて電源供給切り替え条件記憶部２０８に記憶された電源供給切り替え条件の書き換えを行う機能を有する。また，電源供給切り替え条件設定部２０６により設定された電源供給切り替え条件を電源供給切り替え条件記憶部２０８に記憶せずに，直接電源供給部２０４の電源供給切り替えを行うようにしてもよい。その場合には，電源供給切り替え条件記憶部２０８に記憶された電源供給切り替え条件が書き換えられずに，ＲＡＭなどの揮発性メモリに電源供給切り替え条件が記憶されて一時的に電源供給切り替え条件の変更が行われる。
【００４３】
例えば，ユーザにより頻繁に外部装置にかざされる一面は，第１のＩＣチップ１０８が埋め込まれた一面だったとする。その場合には，電源供給切り替え条件記憶部２０８に記憶されている電源供給切り替え条件には，第１のＩＣチップ１０８にのみ電源を供給する電源供給切り替え条件が記憶される。ユーザが，一時的に第２のＩＣチップ１１２が埋め込まれた一面を外部装置にかざして非接触通信を行いたいとする。その場合には，携帯端末装置１００のスイッチ１１０などをユーザが押下することにより，一時的に電源供給切り替え条件の変更を行って，第２のＩＣチップ１１２に電源を供給するようにしてもよい。
【００４４】
以上，携帯端末装置１００内の機能構成について説明した。携帯端末装置１００によれば，携帯端末装置１００に２つのＩＣチップが備えられている場合に，電源供給切り替え条件に応じて１つのＩＣチップを使用することにより，バッテリの消費を低減することができる。ユーザは，電源が供給されるＩＣチップが埋め込まれている特定の面を外部装置にかざさなければならないが，ユーザにより頻繁に外部装置にかざされる一面に埋め込まれたＩＣチップに電源を供給することで，特定の面をかざすことによる利便性の低下を回避することが可能となる。
【００４５】
本実施形態における携帯端末装置１００では，携帯端末装置１００のＣＰＵ１２０に２つのＩＣチップが接続された構成となっているが，かかる例に限定されず，１つのＩＣチップのみがＣＰＵ１２０に接続する構成としてもよい。その場合，ＣＰＵに接続された１つのＩＣチップがマスタ（正）のＩＣチップとなり，他のＩＣチップがスレーブ（副）のＩＣチップとなる。このマスタ／スレーブＩＣチップが携帯端末装置１００に備えられている場合，バッテリ１１８の残量に応じて動作させるＩＣチップを決定するようにしてもよい。例えば，バッテリ１１８の残量が所定の残量以下となった場合に，マスタのＩＣチップにのみ電源を供給することにより，バッテリの消費を低減させて携帯端末装置１００の動作時間を延ばすことが可能となる。
【００４６】
次に，図３に基づいて，携帯端末装置１００における電源供給制御方法について説明する。図３は，携帯端末装置１００における電源供給制御方法を示すフローチャートである。
【００４７】
図３に示したように，まず，ユーザにより携帯端末装置１００が外部装置にかざされる（Ｓ１０２）。ステップＳ１０２において携帯端末装置１００が外部装置にかざされると，携帯端末装置１００のＣＰＵ１２０は，設定条件（電源供給切り替え条件）があるか否かを判定する（Ｓ１０４）。ステップＳ１０４において，設定条件がない場合，つまり，電源供給切り替え条件が設定されていない場合には，第１のＩＣチップ１０８および第２のＩＣチップ１１２が起動して，第１のアンテナ１０２および第２のアンテナ１１６により外部装置から送出される搬送波が検出される（Ｓ１０６）。
【００４８】
ステップＳ１０６において，最初に搬送波を検出したのが携帯端末装置１００の表面か否かを判定する（Ｓ１０８）。例えば，携帯端末装置１００の表面に第１のＩＣチップ１０８および第１のアンテナ１０２が埋め込まれており，携帯端末装置１００の裏面に第２のＩＣチップ１１２および第２のアンテナ１１６が埋め込まれていたとする。ステップＳ１０６において，第１のアンテナ１０２が第２のアンテナ１１６よりも先に搬送波を検出して第１のＩＣチップ１０８に電波を送出した場合には，携帯端末装置１００の表面により最初に搬送波が検出されたと判定する。
【００４９】
ステップＳ１０８において，表面に備わるアンテナにより最初に搬送波が検出されたと判定された場合には，表面に備わるＩＣチップにより外部装置との非接触通信が行われる。つまり，表面に備わる第１のＩＣチップ１０８と外部装置との間で非接触通信が行われる。また，ステップＳ１０８において，裏面に備わるアンテナにより最初に搬送波が検出されたと判定された場合には，裏面に備わるＩＣチップにより外部装置との非接触通信が行われる。つまり，裏面に備わる第２のＩＣチップ１１２と外部装置との間で非接触通信が行われる。
【００５０】
ステップＳ１０４において，設定条件があると判定された場合，つまり，電源切り替え条件が設定されていると判定された場合には，電源切り替え条件に応じて，携帯端末装置１００の表面または裏面に備わるＩＣチップと外部装置との間で非接触通信が行われる（Ｓ１１０）。
【００５１】
例えば，電源切り替え条件として，携帯端末装置１００の表面に備わる第１のＩＣチップ１０８に電源を供給するフラグ「１」が設定されていたとする。その場合には，ステップＳ１１０において，表面に備わる第１のアンテナ１０２により搬送波が検出されて，表面に備わる第１のＩＣチップ１０８と外部装置との間で非接触通信が行われる。また，電源切り替え条件として，携帯端末装置１００の裏面に備わる第２のＩＣチップ１１２に電源を供給するフラグ「２」が設定されていたとする。その場合には，ステップＳ１１０において，裏面に備わる第２のアンテナ１１６により搬送波が検出されて，裏面に備わる第２のＩＣチップ１１２と外部装置との間で非接触通信が行われる。
【００５２】
以上，第１実施形態について説明した。第１実施形態によれば，２つのＩＣチップを備えた携帯端末装置において，電源供給切り替え条件に応じて，２つのＩＣチップのいずれかに電源を供給することができる。これにより，１つのＩＣチップしか埋め込まれていない場合に比べてユーザの利便性が増すとともに，ユーザにより頻繁に外部装置にかざされる面に埋め込まれているＩＣチップのみを使用することで，バッテリの消費を低減することが可能となる。
【００５３】
（第２実施形態）
図４は，第２の実施形態にかかる携帯端末装置１００の構成を示すブロック図である。本実施形態にかかる携帯端末装置１００は，第１の実施形態同様，リーダ／ライタなどの外部装置との間で非接触式に無線通信可能な２つのＩＣチップを備えた装置である。図４に示したように，携帯端末装置１００は，第１のＩＣチップ用アンテナ１０２と，第１のＩＣチップ１０８と，第２のＩＣチップ用アンテナ１１６と，第２のＩＣチップ１１２と，携帯端末装置用ＣＰＵ１２０と，バッテリ１１８と，入力キー面１０４と，液晶表示面１１４と，磁気センサ１２４などを備える。
【００５４】
第１のＩＣチップ用アンテナ１０２と，第１のＩＣチップ１０８と，第２のＩＣチップ用アンテナ１１６と，第２のＩＣチップ１１２と，バッテリ１１８と，入力キー面１０４と，液晶表示面１１４については，第１の実施形態とほぼ同様の機能を備えるため，説明を省略する。以下では，第１の実施形態とは異なる構成について主に説明する。
【００５５】
本実施形態では，携帯端末装置１００に磁気センサ１２４が設けられ，磁気センサ１２４により検知された位置情報に基づいて，第１のＩＣチップ１０８および第２のＩＣチップ１１２への電源供給を制御する。位置情報とは，携帯端末装置１００の絶対位置であってもよいし，第１のＩＣチップ１０８と第２のＩＣチップ１１２との相対的な位置関係であってもよい。また第１のＩＣチップ１０８および第２のＩＣチップ１１２と，外部装置との相対的な位置関係であってもよい。
【００５６】
例えば，磁気センサ１２４により検知された位置情報により，第１のＩＣチップ１０８が第２のＩＣチップ１１２よりも下側に位置していた場合に，第１のＩＣチップ１０８にのみ電源を供給するようにしてもよい。また，第１のＩＣチップ１０８が第２のＩＣチップ１１２よりも外部装置に近い位置にある場合に，第１のＩＣチップ１０８にのみ電源を供給するようにしてもよい。
【００５７】
例えば，磁気センサ１２４が重力センサである場合には，第１のＩＣチップ１０８および第２のＩＣチップ１１２の重力のかかる方向を検知して，重力のかかる方向に位置するＩＣチップに電源を供給する。これにより，携帯端末装置１００が地面に並行に位置していた場合，下側のＩＣチップのみに電源を供給することができる。改札機などに備わるリーダ／ライタに携帯端末装置１００をかざして非接触通信を行う場合に，リーダ／ライタにかざす側面に埋め込まれたＩＣチップに電源を供給し，リーダ／ライタにかざされない側面に埋め込まれたＩＣチップの電源を切断することができる。
【００５８】
また，磁気センサ１２４が加速度センサである場合には，第１のＩＣチップ１０８および第２のＩＣチップ１１２の移動方向を検知して，移動方向に位置するＩＣチップに電源を供給する。これにより，ユーザが携帯端末装置１００を前方に出した場合に，前方に位置するＩＣチップに電源を供給することができる。壁面などに地面と垂直に設置されたリーダ／ライタに携帯端末装置１００をかざして非接触通信を行う場合に，リーダ／ライタにかざす側面に埋め込まれたＩＣチップにのみ電源を供給することが可能となる。
【００５９】
携帯端末用ＣＰＵ１２０は，磁気センサ１２４により検知された位置情報に応じて，第１のＩＣチップ１０８または第２のＩＣチップ１１２のいずれかに電源を供給するように，バッテリ１１８からの電源供給を制御する。また，２つのＩＣチップに電源が供給されている場合には，一方のＩＣチップに電源を供給し，他方のＩＣチップの電源を切断するようにしてもよい。
【００６０】
携帯端末用ＣＰＵ１２０に磁気センサ１２４からの信号を直接入力して，電源切り替えの制御を行うようにしてもよい。また，第１の実施形態と同様に，本実施形態にかかる携帯端末装置１００にも不揮発性メモリ１２２を備えるようにして，不揮発性メモリ１２２に記憶された電源切り替え条件と磁気センサ１２４からの位置情報とから電源供給を制御してもよい。
【００６１】
例えば，不揮発性メモリ１２２に，電源切り替え条件として，「重力のかかる方向に位置する一方のＩＣチップの電源をオン，他方のＩＣチップの電源をオフする」という条件を記憶しておく。磁気センサ１２４により「第１のＩＣチップが重力のかかる方向に位置する」という位置情報が携帯端末用ＣＰＵに入力された場合には，不揮発性メモリ１２２の電源切り替え条件と磁気センサ１２４からの位置情報とから，第１のＩＣチップをオンにし，第２のＩＣチップをオフにするという制御を行うことができる。
【００６２】
同様に，不揮発性メモリ１２２に，電源切り替え条件として，「移動方向に位置する一方のＩＣチップのみ電源をオンする」という条件を記憶しておく。磁気センサ１２４により「第１のＩＣチップが移動方向に位置する」という位置情報が携帯端末用ＣＰＵに入力された場合には，不揮発性メモリ１２２の電源切り替え条件と磁気センサ１２４からの位置情報とから，第１のＩＣチップのみオンにするという制御を行うことができる。
【００６３】
以上，携帯端末装置１００の構成について説明した。次に，図５に基づいて，本実施形態にかかる携帯端末装置１００内の機能構成について説明する。
【００６４】
図５に示したように，携帯端末装置１００内には，電源供給制御部２０２と，電源供給部２０４と，電源供給切り替え条件設定部２０６と，電源供給切り替え条件記憶部２０８と，ＩＣチップ位置検知部２１０などが備えられている。電源供給部２０４および電源供給切り替え条件設定部２０６は，第１実施形態とほぼ同様の機能を備えるため，説明を省略する。
【００６５】
電源供給制御部２０２は，電源切り替え条件およびＩＣチップ位置検知部２１０により検知された位置情報に応じて，電源供給部２０４の電源供給切り替えを制御する機能を有する。電源供給制御部２０２は，位置検知部２１０により検知された位置情報と電源切り替え条件記憶部１０８に記憶された電源切り替え条件とを比較することにより，いずれのＩＣチップに電源を供給するのかを判別する。また，電源供給制御部２０２に，位置情報と電源切り替え条件とを比較するロジックを組み込んで，位置情報のみから電源を供給するＩＣチップの判別を行うようにしてもよい。
【００６６】
ＩＣチップ位置検知部２１０は，携帯端末装置１００に備えられた２つのＩＣチップの位置を検知する機能を有する。ＩＣチップ位置検知部２１０は，図１の磁気センサ１２４を例示することができ，例えば図６に示したように，携帯端末装置１００の一面に埋め込んでもよい。例えば，図６に示したように，重力センサにより，重力のかかる方向が矢印の方向であると検知された場合には，矢印の方向に位置する第１のＩＣチップ１０８に電源が供給され，第２のＩＣチップ１１２の電源が切断される。また，加速度センサにより，移動方向が矢印の方向であると検知された場合には，矢印の方向に位置する第１のＩＣチップ１０８にのみ電源が供給される。
【００６７】
以上，携帯端末装置１００内の機能構成について説明した。このように，第２実施形態にかかる携帯端末装置１００によれば，携帯端末装置１００に２つのＩＣチップが備えられている場合に，位置情報に応じて１つのＩＣチップを使用してバッテリの消費を低減することができる。また，外部装置により近いＩＣチップに電源を供給することができるため，１つのＩＣチップしか備えられていない携帯端末装置に比べて外部装置とより確実に通信を行うことが可能となる。
【００６８】
次に，図７に基づいて，携帯端末装置１００における重力センサを用いた場合の電源供給制御方法について説明する。図７は，携帯端末装置１００における電源供給制御方法を示すフローチャートである。
【００６９】
図７に示したように，まず，ユーザにより携帯端末装置１００が外部装置にかざされる（Ｓ２０２）。ステップＳ２０２において携帯端末装置１００が外部装置にかざされると，携帯端末装置１００のＣＰＵ１２０は，重力センサにより重力のかかる方向を検知して，外部装置にかざされた面を判別する（Ｓ２０４）。ステップＳ２０４により，外部装置にかざされた面が表面であると判別された場合には，表面に備わるＩＣチップに電源を供給して通信を行い，裏面に備わるＩＣチップの電源を切断する（Ｓ２０６）。またステップＳ２０４により，外部装置にかざされた面が裏面であると判別された場合には，裏面に備わるＩＣチップに電源を供給して通信を行い，表面に備わるＩＣチップの電源を切断する（Ｓ２０８）。
【００７０】
以上，携帯端末装置１００における重力センサを用いた場合の電源供給制御方法について説明した。次に，携帯端末装置１００における加速度センサを用いた場合の電源供給制御方法について説明する。図８は，携帯端末装置１００における電源供給制御方法を示すフローチャートである。
【００７１】
図８に示したように，まず，ユーザにより携帯端末装置１００が外部装置にかざされる（Ｓ２１２）。ステップＳ２１２において携帯端末装置１００が外部装置にかざされると，携帯端末装置１００のＣＰＵ１２０は，加速度センサにより移動方向を検知して，外部装置にかざされた面を判別する（Ｓ２１４）。ステップＳ２１４により，外部装置にかざされた面が表面であると判別された場合には，表面に備わるＩＣチップにのみ電源を供給して，表面に備わるＩＣチップを用いて通信を行う（Ｓ２１６）。またステップＳ２１４により，外部装置にかざされた面が裏面であると判別された場合には，裏面に備わるＩＣチップにのみ電源を供給して，裏面に備わるＩＣチップを用いて通信を行う（Ｓ２１８）。
【００７２】
以上，携帯端末装置１００における加速度センサを用いた場合の電源供給制御方法について説明した。次に，重力センサおよび加速度センサを備えた携帯端末装置１００における電源供給制御方法について説明する。図９は，携帯端末装置１００における電源供給制御方法を示すフローチャートである。
【００７３】
図９に示したように，まず，ユーザにより携帯端末装置１００が外部装置にかざされる（Ｓ２２０）。ステップＳ２２０において，携帯端末装置１００が外部装置にかざされると，携帯端末装置１００のＣＰＵ１２０は，重力センサまたは加速度センサを動作させる（Ｓ２２２）。例えば，携帯端末装置１００に横方向の加速度がかかっていない場合には，重力センサを動作させる。また，横方向の加速度がかかっている場合には，加速度センサを動作させる。ステップＳ２２２において動作させたセンサにより重力のかかる方向または移動方向を検知して，外部装置にかざされた面を判別する（Ｓ２２４）。
【００７４】
ステップＳ２２４において，外部装置にかざされた面が表面であると判別された場合には，表面に備わるＩＣチップに電源を供給し，裏面に備わるＩＣチップの電源を切断する（Ｓ２２６）。そしてステップＳ２２６において電源が供給された表面に備わるＩＣチップにより通信を行う（Ｓ２３０）。また，ステップＳ２２４において，外部装置にかざされた面が裏面であると判別された場合には，裏面に備わるＩＣチップに電源を供給して，表面に備わるＩＣチップの電源を切断する（Ｓ２２８）。そして，ステップＳ２２８において電源が供給された裏面に備わるＩＣチップにより通信を行う（Ｓ２３２）。
【００７５】
以上，第２実施形態について説明した。第２実施形態によれば，２つのＩＣチップを備えた携帯端末装置において，磁気センサにより検知された位置情報に応じて，２つのＩＣチップのいずれかに電源を供給することができる。これにより，１つのＩＣチップしか埋め込まれていない場合に比べてユーザの利便性が増すとともに，ユーザにより外部装置にかざされた面に埋め込まれているＩＣチップのみを使用することで，バッテリの消費を低減することが可能となる。
【００７６】
（第３実施形態）
図１０に示したように，携帯端末装置１００に２つのアンテナ１０２および１１６が備えられ，この２つのアンテナを１つのＩＣチップで使用する構成としてもよい。この場合には，第２実施形態の重力センサ，加速度センサなどの磁気センサ１２４を用いて２つのアンテナのうちどちらが下側であるか，移動方向側であるか，外部装置に近い側であるか，などを検知して，重力方向または移動方向にあるアンテナのみを用いて搬送波を検出する。２つのアンテナを１つのＩＣチップで使用する場合には，１つのアンテナを１つのＩＣチップで使用する場合に比べてＩＣチップの回路が複雑となり，ＩＣチップにかかる処理負荷が高くなる。そこで本実施形態のように，２つのアンテナのうち，外部装置により近い方のアンテナを使用して通信を行って，ＩＣチップ１２８の処理負荷も低くすることができる。
【００７７】
本実施形態にかかる携帯端末装置１００は，第１のＩＣチップ用アンテナ１０２と，第２のＩＣチップ用アンテナ１１６と，携帯端末装置用ＣＰＵ１２０と，磁気センサ１２４と，バッテリ１１８と，入力キー面１０４と，液晶表示面１１４，ＩＣチップ１２８などを備える。本実施形態にかかる携帯端末装置１００は，第２実施形態にかかる携帯端末装置１００とは，ＩＣチップ１２８が第１のＩＣチップ用アンテナ１０２と第２のＩＣチップ用アンテナ１１６とを制御する点で異なっている。ＩＣチップ１２８以外の構成については，第２実施形態とほぼ同様であるため，説明を省略する。
【００７８】
本実施形態では，携帯端末用ＣＰＵ１２６は，磁気センサ１２４により検知された位置情報に応じて，２つのアンテナのうち，いずれのアンテナを用いて搬送波を検出するかを判定して，その判定結果をＩＣチップ１２４に提供する。また磁気センサ１２４により検知された位置情報を直接ＩＣチップ１２４に提供するようにしてもよい。ＩＣチップ１２４は，磁気センサ１２４の位置情報に応じて，２つのアンテナのうち，いずれのアンテナを用いて搬送波を検出すかを判定することが可能となる。
【００７９】
第３実施形態によれば，２つのアンテナを備えた携帯端末装置において，磁気センサにより検知された位置情報に応じて，２つのアンテナのいずれかにより搬送波を検出することができる。これにより，１つのアンテナしか備えられていない場合に比べてユーザの利便性が増すとともに，ユーザにより外部装置にかざされた面に備えられたアンテナのみを使用することで，バッテリの消費を低減したり，ＩＣチップのＣＰＵ負荷を軽減したりすることが可能となる。
【００８０】
第２，第３実施形態によれば，外部装置にかざされた側に埋め込まれたＩＣチップやアンテナが起動するため，携帯端末装置を使用するユーザは，携帯端末装置のどこにＩＣチップが埋め込まれているのかを意識する必要がない。また，外部装置にかざす側を間違えて外部装置と非接触通信ができないという事態を回避することができるため，ユーザの利便性を向上させることが可能となる。
【００８１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８２】
上記第２，第３実施形態においては，重力センサによりＩＣチップの重力のかかる方向を検知し，加速度センサによりＩＣチップの移動方向を検知していたが，かかる例に限定されない。例えば，ＩＣチップ位置検知部として，角度センサや角加速度センサを用いて，第１のＩＣチップおよび第２のＩＣチップの傾斜角を検知するようにしてもよい。
【図面の簡単な説明】
【００８３】
【図１】本発明の第１の実施形態にかかる携帯端末装置の構成を示すブロック図である。
【図２】同実施の形態における携帯端末装置内の機能構成を示すブロック図である。
【図３】同実施の形態における携帯端末装置の電源供給制御方法を示すフローチャートである。
【図４】本発明の第２の実施形態にかかる携帯端末装置の構成を示すブロック図である。
【図５】同実施の形態における携帯端末装置内の機能構成を示すブロック図である。
【図６】同実施の形態における磁気センサについて説明する説明図である。
【図７】同実施の形態における携帯端末装置の電源供給制御方法示すフローチャートである。
【図８】同実施の形態における携帯端末装置の電源供給制御方法示すフローチャートである。
【図９】同実施の形態における携帯端末装置の電源供給制御方法示すフローチャートである。
【図１０】第３の実施形態にかかる携帯端末装置の構成を示すブロック図である。
【符号の説明】
【００８４】
１００      携帯端末装置
１０２      第１のＩＣチップ用アンテナ
１０４      入力キー面
１０８      第１のＩＣチップ
１１０      スイッチ
１１２      第２のＩＣチップ
１１４      液晶表示面１１４
１１６      第２のＩＣチップ用アンテナ
１１８      バッテリ
１２０，１２６      携帯端末用ＣＰＵ
１２２      不揮発性メモリ
１２４      磁気センサ
２０２      電源供給制御部
２０４      電源供給部
２０６      電源供給切り替え条件設定部
２０８      電源供給切り替え条件記憶部
２１０      ＩＣチップ位置検知部
【図１】
2007110286.tif 000003
【図２】
2007110286.tif 000004
【図３】
2007110286.tif 000005
【図４】
2007110286.tif 000006
【図５】
2007110286.tif 000007
【図６】
2007110286.tif 000008
【図７】
2007110286.tif 000009
【図８】
2007110286.tif 000010
【図９】
2007110286.tif 000011
【図１０】
2007110286.tif 000012